(57)【要約】【課題】  正座を楽に行えると共に、立ち上がったときにも邪魔にならず、自然に歩行できるようにした正座補助具を提供する。【解決手段】  吊り下げ紐２の一端をブロック状の支持部材１に取り付け、吊り下げ紐２の他端を着物１０の裏側に固定する。正座をするときには、ブロック状の支持部材１を尻の下に置き、ブロック状の支持部材１を椅子のように用いる。このようにすると、尻の重みが足首にかからなくなるため、長時間座っていても、足がしびれることがなくなる。立ち上がったときには、ブロック状の支持部材１が股間から離れ、自然に歩行することができる。【選択図】        図１
0003120863.tif 000002
【実用新案登録請求の範囲】
【請求項１】
正座をするときに尻の下に敷かれるブロック状の支持部材と、
その一端が前記ブロック状の支持部材に取り付けられ、その他端が着物の後身頃の裏側に固定される吊り下げ紐と
からなることを特徴とする正座補助具。
【請求項２】
更に第２の吊り下げ紐を設け、前記第２の吊り下げ紐の一端が前記ブロック状の支持部材に取り付けられ、その他端が着物の前身頃の裏側に固定されることを特徴とする請求項１に記載の正座補助具。
【請求項３】
前記吊り下げ紐は、前記着物の裏側に着脱自在に固定されることを特徴とする請求項１又は２に記載の正座補助具。
【請求項４】
正座をするときに尻の下に敷かれるブロック状の支持部材と、
腰に巻き付けられる帯体と、
その一端が前記ブロック状の支持部材に取り付けられ、その他端が前記帯体に固定される吊り下げ紐と
からなることを特徴とする正座補助具。
【請求項５】
更に第２の吊り下げ紐を設け、前記第２の吊り下げ紐の一端が前記ブロック状の支持部材に取り付けられ、その他端が前記帯体に固定されることを特徴とする請求項４に記載の正座補助具。
【考案の詳細な説明】
【技術分野】
【０００１】
本考案は、無理なく正座を行えるようにした正座補助具に関する。
【背景技術】
【０００２】
日本古来の正式な儀式では、正座を強いられることがよくある。普段、殆ど正座をする機会のない人にとって、長時間の正座は非常につらいことであり、長時間の正座は、足のしびれなどを起こし、立ち上がれないこともある。また、正座は膝や足首に非常に負担がかかり、足腰に持病のあり、長時間の正座に耐えられない人も多い。
【０００３】
そこで、例えば、特許文献１に示されるように、無理なく長時間の正座が行えるようにした正座補助道具が提案されている。
【０００４】
特許文献１に示される正座補助道具は、腰部の下着の上に着用する内ベルトを用意し、支持部に帯体を取り付け、帯布の両端を、それぞれ、腰部に着用した内ベルトの前後に挟着して、支持具を股間に保持できるようにしたものである。特許文献１に示されるような正座補助道具では、正座をしているときに、支持具を尻の下に敷くことで、膝や足首の負担が軽減され、長時間、楽に正座をすることができる。
【特許文献１】特開２００４−７３８０８号公報
【考案の開示】
【考案が解決しようとする課題】
【０００５】
ところが、特許文献１に示される正座補助道具では、腰部に着用した内ベルトにより支持具を股間に保持するようにしているため、正座をしているときばかりでなく、立ち上がったときにも、支持具が股間上にある。このため、違和感があり、歩きにくいという問題がある。
【０００６】
本考案は、上述の課題を鑑み、正座の楽に行えると共に、立ち上がったときにも邪魔にならず、自然に歩行できるようにした正座補助具を提供することを目的とする。
【課題を解決するための手段】
【０００７】
上述の課題を解決するために、第１の考案に係る正座補助具は、正座をするときに尻の下に敷かれるブロック状の支持部材と、その一端がブロック状の支持部材に取り付けられ、その他端が着物の後身頃の裏側に固定される吊り下げ紐とからなることを特徴とする。
【０００８】
好ましくは、第１の考案において、更に第２の吊り下げ紐を設け、前記第２の吊り下げ紐の一端がブロック状の支持部材に取り付けられ、その他端が着物の前身頃の裏側に固定されることを特徴とする。
【０００９】
好ましくは、第１の考案において、吊り下げ紐は、着物の裏側に着脱自在に固定されることを特徴とする。
【００１０】
第２の考案に係る正座補助具は、正座をするときに尻の下に敷かれるブロック状の支持部材と、腰に巻き付けられる帯体と、その一端がブロック状の支持部材に取り付けられ、その他端が帯体に固定される吊り下げ紐とからなることを特徴とする。
【００１１】
好ましくは、第２の考案において、更に第２の前記吊り下げ紐を設け、その第２の吊り下げ紐の一端がブロック状の支持部材に取り付けられ、その他端が帯体に固定されることを特徴とする。
【考案の効果】
【００１２】
第１の考案によれば、正座をするときに尻の下に敷かれるブロック状の支持部材と、その一端がブロック状の支持部材に取り付けられ、その他端が着物の後身頃の裏側に固定される吊り下げ紐とからなるようにしている。このため、正座をするときには、ブロック状の支持部材を尻の下に置き、ブロック状の支持部材を椅子のように用いることができ、長時間座っていても、足がしびれることがなくなる。
【００１３】
また、第１の考案において、更に１本の前記吊り下げ紐を設け、前記更に１本の吊り下げ紐の一端がブロック状の支持部材に取り付けられ、その他端が着物の前身頃の裏側に固定される。このように、ブロック状の支持部材を２本の吊り下げ紐で吊り下げることにより、ブロック状の支持部材の取り付けが安定し、立ったときに、ブロック状の支持部材が不要に動くことが抑えられると共に、正座をするときに、ブロック状の支持部材を尻の上に誘導しやすい。さらに、ブロック状の支持部材の取り付け強度が上がり、ブロック状の支持部材が着物から外れ落ちてしまうことが防止できる。
【００１４】
また、第１の考案において、吊り下げ紐は、着物の裏側に着脱自在に固定されているので、不要な場合には、ブロック状の支持部材を簡単に外すことができる。
【００１５】
第２の考案によれば、正座をするときに尻の下に敷かれるブロック状の支持部材と、腰に巻き付けられる帯体と、その一端がブロック状の支持部材に取り付けられ、その他端が帯体に固定される吊り下げ紐とからなるようにしている。このため、正座をするときには、ブロック状の支持部材を尻の下に置き、ブロック状の支持部材を椅子のように用いることができ、長時間座っていても、足がしびれることがなくなると共に、着物を傷めることがなくなる。
【００１６】
また、第２の考案において、更に第２の吊り下げ紐を設け、その第２の吊り下げ紐の一端がブロック状の支持部材に取り付けられ、その他端が帯体に固定される。このように、２本の吊り下げ紐を対向して帯体に固定するようにしているので、ブロック状の支持部材の取り付けが安定し、立ったときに、ブロック状の支持部材が不要に動くことが抑えられると共に、正座をするときに、ブロック状の支持部材を尻の上に誘導しやすい。
【考案を実施するための最良の形態】
【００１７】
第１実施形態．
以下、本考案の実施の形態について図面を参照しながら説明する。図１は、本考案の第１実施形態を示すものである、図１において、１はブロック状の支持部材である。ブロック状の支持部材１に、吊り下げ紐２の一端が取り付けられる。吊り下げ紐２の他端は、着物１０の後身頃１１の裏側に固定される。着物１０は例えば長襦袢等の和装の着物や白衣である。
【００１８】
ブロック状の支持部材１としては、肌触りがよく、尻を載せても耐えられる強度があり、然も、ある程度の柔らかさを持ったものを用いることが望ましい。具体的には、ブロック状の支持部材１としては、発泡スチロールや、袋状の布の中に綿やウレタン等を収納したものが用いられる。
【００１９】
また、吊り下げ紐２としては、例えば布製の紐が用いられる。吊り下げ紐２の他端は、着物１０の後身頃１１の裏地に縫いつけるようにしても良いし、また、例えばファスナや、スナップ、ボタン、面ファスナ等で、着脱自在に固定するようにしても良い。
【００２０】
また、吊り下げ紐２の長さは、座ったときにブロック状の支持部材１を尻の下に敷くことができ、立ったときに、ブロック状の支持部材１が着物１０の裾からはみ出ないような長さとされる。
【００２１】
このように、本考案の第１実施形態では、着物１０の後身頃１１の裏側に、吊り下げ紐２を介して、ブロック状の支持部材１が吊り下げられる。正座をするときには、図２（Ａ）及び図２（Ｂ）に示すように、ブロック状の支持部材１を尻１３の下に置き、ブロック状の支持部材１を椅子のように用いる。このようにすると、尻の重みが足首にかからなくなるため、長時間座っていても、足がしびれることがなくなる。
【００２２】
また、本考案の第１実施形態では、ブロック状の支持部材１は、着物１０の後身頃１１の裏側に吊り下げ紐２を介して吊り下げられている。このため、立ち上がったときには、ブロック状の支持部材１が股間から離れ、自然に歩行することができる。
【００２３】
なお、正座が強いられるケースでは、和装の着物を着用していることが殆どである。和装の着物では、裾が足下まであるため、ブロック状の支持部材１を着物の裏側に吊り下げていても、外からは殆ど目立たない。
【００２４】
また、この実施形態では、吊り下げ紐２を後身頃１１の裏側に固定している。このようにすると、立ったときにブロック状の支持部材１が両脚の間に位置することになり、ブロック状の支持部材１が邪魔にならない。
【００２５】
第２実施形態．
図３は、本考案の第２実施形態を示すものである。前述の第１実施形態では、１本の吊り下げ紐２で、ブロック状の支持部材１を着物１０の裏側に吊り下げている。
【００２６】
これに対して、この実施形態では、図３に示すように、２本の吊り下げ紐２ａ及び２ｂの各一端をブロック状の支持部材１に取り付けるようにしている。そして、吊り下げ紐２ａの他端を着物１０の後身頃１１の裏側に固定し、吊り下げ紐２ｂの他端を着物１０の前身頃１２の裏側に固定している。他の構成については、上述の第１実施形態と同様である。
【００２７】
このように、第２実施形態では、２本の吊り下げ紐２ａ及び２ｂで、着物１０の前後からブロック状の支持部材１を吊り下げている。このため、ブロック状の支持部材１の取り付けが安定し、立ったときに、ブロック状の支持部材１が不要に動くことが抑えられると共に、正座をするときに、ブロック状の支持部材１を尻の上に誘導しやすくなる。さらに、ブロック状の支持部材１の取り付け強度が上がり、ブロック状の支持部材１が着物１０から外れ落ちてしまうことが防止できる。
【００２８】
第３実施形態．
図４は、本考案の第３実施形態を示すものである。上述の第１及び第２実施形態では、着物１０に吊り下げ紐２を介してブロック状の支持部材１を吊り下げている。
【００２９】
これに対して、この実施形態では、図４に示すように、帯体３に吊り下げ紐２の一端を固定し、吊り下げ紐２の他端をブロック状の支持部材１を固定するようにしている。そして、吊り下げ紐２を介してブロック状の支持部材１が吊り下げられた帯体３を、腰に巻き付けて使用する。
【００３０】
この実施形態では、着物に直接ブロック状の支持部材１を吊り下げるのではなく、腰に巻き付けた帯体３から吊り下げ紐２を介してブロック状の支持部材１を吊り下げているので、着物１０への負担がなくなり、着物１０を傷めることが少なくなる。
【００３１】
第４実施形態．
図５は、本考案の第４実施形態を示すものである。上述の第３実施形態では、帯体３に吊り下げ紐２を介してブロック状の支持部材１を固定している。
【００３２】
これに対して、この実施形態では、図５に示すように、帯体３に、２本の吊り下げ紐２ａ及び２ｂを対向するように配置し、帯体３に吊り下げ紐２ａ及び２ｂの一端を固定し、吊り下げ紐２ａ及び２ｂの他端をブロック状の支持部材１を固定するようにしている。そして、吊り下げ紐２ａ及び２ｂを介してブロック状の支持部材１が吊り下げられた帯体３を、腰に巻き付けて使用する。他の構成については、上述の第３実施形態と同様である。
【００３３】
本考案は、上述した実施形態に限定されるものではなく、本考案の要旨を逸脱しない範囲内で様々な変形や応用が可能である。
【産業上の利用可能性】
【００３４】
本考案は、冠婚葬祭、茶会等、正座を余儀なくされる儀式において、無理なく正座を行えるようにした正座補助具として用いることができる。
【図面の簡単な説明】
【００３５】
【図１】本考案の第１実施形態の正座補助具を示す図である。
【図２】本考案の第１実施形態の正座補助具の説明に用いる側面図及び背面図である。
【図３】本考案の第２実施形態の正座補助具を示す図である。
【図４】本考案の第３実施形態の正座補助具を示す図である。
【図５】本考案の第４実施形態の正座補助具を示す図である。
【符号の説明】
【００３６】
１  ブロック状の支持部材
２、２ａ、２ｂ  吊り下げ紐
３  帯体
１０  着物
１１  後身頃
１２  前身頃
【図１】
0003120863.tif 000003
【図２】
0003120863.tif 000004
【図３】
0003120863.tif 000005
【図４】
0003120863.tif 000006
【図５】
0003120863.tif 000007